(57)【要約】【課題】  ネクタイを展示するに当たり、着用時における結び目を想定させる立体感をもたらす軽量で取り扱いも容易な組み立て式の展示具を提供すること、また、不要時にあっては廃却することができるネクタイディスプレイ用具を提供すること。【解決手段】  ネクタイを展示するディスプレイ用具であって、適宜の厚さを有する台紙またはプラスティック等のベース地に、ネクタイを挿通する逆Ｖ字状、円弧状あるいは台形状の切込を設け、その直下にネクタイを挟み込む横Ｈ字状の切込を設け、さらに、下方位置にベース地の裏面にネクタイを挿通するＶ字状の切込を設けるとともに、ベース地の側方にベース地を自立させる脚部片を設けたものである。【選択図】  図５
0003109441.tif 000002
【実用新案登録請求の範囲】
【請求項１】
ネクタイを展示するディスプレイ用具であって、適宜の厚さを有する台紙またはプラスティック等のベース地に、ネクタイの小剣部を挿通する逆Ｖ字状、円弧状または台形状の切込あるいはスリット孔を設け、その直下にネクタイを両側から挟み込む横Ｈ字状の切込を設けるとともに、下方位置にネクタイを挿通するＶ字状の切込あるいはスリット孔を設けたことを特徴とするネクタイディスプレイ用具。
【請求項２】
請求項１記載のネクタイディスプレイ用具において、ベース地に脚部を設けたことを特徴とするネクタイディスプレイ用具。
【請求項３】
請求項１、２記載のネクタイディスプレイ用具において、ネクタイを挿通する逆Ｖ字状あるいは台形状の切込の側方位置に、ポケットチーフあるいはプライスカード等を挿通する切込あるいはスリット孔を設けたことを特徴とするネクタイディスプレイ用具。
【考案の詳細な説明】
【技術分野】
【０００１】  本考案は、ネクタイ売り場や展示場等で使用するのに好適なネクタイディスプレイ用具に関する。
【背景技術】
【０００２】  男性服飾において、大きな比重を占めるネクタイは、年代層を超えて着用する人間の趣味、嗜好を、さらには、ファッションセンスを端的に表すものであるため、一般に、ネクタイを購入する時にはネクタイそのものの色や柄は勿論のこと、着用時における立体的な結び目の醸し出す雰囲気を、ネクタイを使用する際に着るワイシャツとの釣り合いを考慮し、気に入ったネクタイを種々の色柄やデザインのワイシャツとを想定しながら選ぶことが多い。【０００３】  近時において、専門店、デパート大型量販店等においては、生活の多様化、個性化にともない販売形態においても、Ｙ字型展示具や、ネクタイを着用させたマネキン展示、販売形態から、触覚に訴える展示テーブル上や陳列棚にネクタイを多数並べた平面的な展示、あるいは、ハンガーに多数本を吊り下げた展示、販売へと変化してきている。【０００４】  ネクタイを選択するに際しては、着用状態を想定しやすく、選択しやすいことから立体的な展示が望まれ、例えば、前述するワイシャツを着せたマネキンに結びつけた展示が、ワイシャツとの対比が直にできる効果的な展示であるものの、異なる色柄のワイシャツと対比させるときにはワイシャツを別に準備する必要があることに変わりはなく、マネキン設置用の広い展示スペースを必要とするため多数個を展示することができず、さらにはマネキンが大型で重量なため取り扱い難いという不便があった。【０００５】  このような状況に鑑み、ネクタイ展示具として特許文献１に示される構成を採用するものが提案され、即ち、ワイシャツの少なくとも襟と胸前部とを含む適宜形状の硬質板に、ワイシャツの少なくとも衿と胸前部とを貼着し、あるいは、印刷等によって表装し、襟元部にネクタイ装着部を形成し、硬質板の裏面に支持具を装着すると共に、硬質板の定置角度が可変できるように支持具に対して回動可能に、かつ、長さ調整可能に構成された支持脚を連結し、硬質板に表装したワイシャツの表にネクタイ装着部を利用してネクタイを付け、所望の色柄と襟デザインのワイシャツに着用状態でネクタイを展示する小型かつ軽量で取り扱いも容易なネクタイ展示具が提案されている。
【特許文献１】  登録実用新案第３０１３１８８号
【０００６】  しかしながら、特許文献１に開示されるネクタイ展示具にあっても、ワイシャツの少なくとも襟と胸前部とを含む形状の硬質板を角度が可変に回動可能に、かつ、長さ調整可能に構成されているため、軽量化されたとはいえ相当の重量を有するもので、また、これを支持するベースを必要とすることから展示に場所を取るのみならず、不使用時における保管収納にスペースを取ることからその普及を阻害している。
【考案の開示】
【考案が解決しようとする課題】
【０００７】  本考案は、前述する従来技術の有する問題点に鑑みてなされたものであり、その目的とするところは、ネクタイを展示するに当たり、着用時における結び目を想定させる立体感をもたらす軽量で取り扱いも容易な組み立て式の展示具を提供することであり、また、不要時にあっては廃却することができるネクタイディスプレイ用具を提供することにある。
【課題を解決するための手段】
【０００８】  前述の課題を達成するための本考案にかかるネクタイディスプレイ用具の構成は、ネクタイを展示するディスプレイ用具であって、適宜の厚さを有する台紙またはプラスティック等のベース地に、ネクタイの小剣部を挿通する逆Ｖ字状、円弧状または台形状の切込あるいはスリット孔を設け、その直下にネクタイを両側から挟み込む横Ｈ字状の切込を設けるとともに、下方位置にネクタイを挿通するＶ字状の切込あるいはスリット孔を設けた点に存するものである。【０００９】  また、本考案にかかるネクタイディスプレイ用具の構成は、ネクタイディスプレイ用具において、ネクタイを挿通する逆Ｖ字状あるいは台形状の切込の側方位置に、ポケットチーフあるいはプライスカード等を挿通する切込を設けた点に存するものである。
【考案の効果】
【００１０】  本考案にかかるネクタイディスプレイ用具によれば、台紙またはプラスティック等のベース地を使用し、これに所要の切込を形成し、必要時において適宜に組み立てて、前記切込を使用してネクタイを使用状態に近似した立体的な状態において展示することを可能とし、展示をしない場合においては分解することで平面に展開され、保管スペースを狭小なものとすることができ、また、全体を軽量化することを可能とすることから、取扱いも容易なものとなる。
【実施例】
【００１１】  以下、図示の実施例に基づいて本考案にかかるネクタイディスプレイ用具について説明する。
１は本考案にかかるネクタイディスプレイ用具を示し、ネクタイディスプレイ用具１を構成するベース地２として台紙または弾性を有するプラスティック、ビニール樹脂等の薄板の素材を使用し得るもので、特に、台紙を使用するのが好適なものである。ネクタイディスプレイ用具１は基本的には矩形をなすものであって、図示の実施例にあっては、一方の短辺側を円弧状２’に成形し、ネクタイディスプレイ用具として後述する彩色を施し、人間の顔面を描写し、ネクタイの着用状況をより現実的に表現するために好ましいものであって、特にこれに限定するものではない。【００１２】  ベース地２には、上方の位置、即ち、ネクタイの装着状態を具現化するためにネクタイを挿通するための逆Ｖ字状あるいは台形状の切込３を設け、また、この切込３の直下の位置に、ネクタイの着用感を表現するために膨出状態となるように両側から挟み込む立て爪５を形成するための横Ｈ字状の切込４が設けられてなり、さらに、ネクタイの色彩、デザインの表示をするために必要な空間を十分に確保するように、前記横Ｈ字状切込４から適宜決定された所要の距離を隔てた下方の位置にベース地１にネクタイの剣先部分を挿通するために十分な大きさのＶ字状の切込６が設けられている。【００１３】  また、前記Ｖ字状切込６の側方には、ネクタイと同デザインのポケットチーフ、あるいは、プライスカードさらにはＰＲ用カード等を差し込める外方に向かって傾斜する切込７が設けられ、この切込７は必須のものではなく必要に応じて設けることができる。【００１４】  ベース地２の左右両側面には、ネクタイの展示に際してネクタイディスプレイ用具１を自立状態とするために、ネクタイディスプレイ用具１を支承する脚部片８がベース地２と一体的に形成され、脚部片８は図中破線で示すところのベース地２に刻設された折り目線９を境界として大略三角形状をなし、その下端部は僅かに傾斜辺１０として形成されている。これは、脚部片７を折り曲げてネクタイディスプレイ用具１を支承するとき、ベース地２全体を後方に傾斜させることによってネクタイを装着させたとき、ネクタイの重みによってネクタイディスプレイ用具１が転倒することを防止し、安定的に展示させることを可能とするからに他ならない。【００１５】  また、ネクタイディスプレイ用具１は図２に示される構成を採用し得る。即ち、ベース地２の下端に連続的して、折り曲げて支持面を形成する適宜の長さを有する底片１１を連設したもので、同時に、底片１１の側方に前記脚部片８と連結する側壁片１２を設け、該側壁片１２の脚部片８と対向する辺は、脚部片８と同様にベース地２を自立させた時にベース地２の背面に当接し、支持するように傾斜辺１３とされ、前記脚部片８と側壁片１２の双方に連結用の切込あるいは切込とこれに差し込むタブ（図示を省略した。）を設けるもので、この実施例においては、鍵型の切込１４、１５を設け、底片１１とベース地２、底片１１と側壁片１２とを区画する折り目線１６，１７が刻設されたもので、底片１１と側壁片１２とを折り曲げるとともに、前記脚部片８と側壁片１２に形成された前述の鍵型の切込１４、１５の係合によりネクタイディスプレイ用具１の下部に、ベース地２と反対側における���壁を形成することなく開放してなる箱型の支持部を形成させるようにしている。【００１６】  さらにまた、ネクタイディスプレイ用具１は図３に示される構成を採用し得る。即ち、前述する実施例の構成に加えてネクタイディスプレイ用具１の下部に、後壁を形成してなる箱型の支持部を設けるようにしたものであって、ネクタイディスプレイ用具１の支持部としては勿論のこと、ベース地２の背面にあるネクタイを収容することにより、展示箇所における乱雑になることを防止し、また、ネクタイの汚損をも防止せんとするものである。【００１７】  詳述するに、ベース地２の下端に連続的に、折り曲げて支持面を形成する適宜の長さを有する底片１１を連設し、同時に、底片１１の側方に前記脚部片８と連結する側壁片１２を設け、該側壁片１２の脚部片８と対向する辺は、脚部片８と同様にベース地２を自立させた時にベース地２の背面に当接し、支持するように傾斜辺１３とされ、前記脚部片８と側壁片１２の双方に連結用の切込あるいは切込とこれに差し込むタブ（図示を省略した。）を設けるもので、この実施例においては、鍵型の切込１４、１５を設けてなり、底片１１とベース地２、底片１１と側壁片１２とを区画する折り目線１６，１７が刻設されている。【００１８】  加えて、前記底片１１に連続して後壁片１８を連設するもので、この後壁片１８には側壁辺１２の内方に折込む舌片１９を形成するための切込２０と、折り曲げを容易にするための折り目線２１、２２が刻設され、底片１１と側壁片１２とを折り曲げ、さらに、後壁片１８を折り目線２１で折り曲げるとともに、折り目線２２から舌片１９を側壁片１２の内側へ折り曲げ、前記脚部片８と側壁片１２に形成された前述の鍵型の切込１４、１５の係合によりネクタイディスプレイ用具１の下部に箱型の支持部を形成させる。【００１９】  本考案にかかるネクタイディスプレイ用具の使用状態について、図２に図示する構成を有する場合について説明する。ネクタイディスプレイ用具１の表面側には、ネクタイを装着したイメージを表すために、イラスト画が描かれており、即ち、図５に示すように、ベース地２の半円部分を男性の顔面に見立てて上半身が描かれ、逆Ｖ字状の切込３が喉元となるように、また、Ｖ字状切込６が背広における前襟となるように適宜の色彩で彩色されている。【００２０】  ベース地２の側方に形成した脚部片８を折り曲げ線９からベース地２の背面側に折り曲げ、また、底片１１を同様に折り曲げ線１６の位置で背面側に折り曲げるとともに、底片１１の両側に形成した側壁片１２を内側に折り曲げ、脚部片８及び側壁片１２に設けてある切込１４、１５を相互に係合する。このとき、脚部片８の下端部に形成された傾斜辺１０とすることから、切込１４が１５に係合するとき、ベース地２はその背面において側壁片１２に形成された傾斜辺１３に当接することとなり、この結果、ネクタイディスプレイ用具１は全体として後傾姿勢をとることとなる。また、これによってベース地２の背面で、かつ、下部にネクタイディスプレイ用具１の自立を箱状の支持部分が形成されることになる。【００２１】  前述のようにして組み立てられたネクタイディスプレイ用具１にネクタイＴを展示するに際し、ネクタイの���剣部分を逆Ｖ字状切込３から挿入して、ベース地２の背面に挿通するが、このときベース地２は変形することとなる。同様にして、ネクタイＴの剣先部分をＶ字状切込６をもベース地２の背面に挿通する。ネクタイＴの喉首、換言すれば、ネクタイＴの結び目に相当する箇所を膨出させるために、ネクタイの小剣部分を挿通する逆Ｖ字状切込３の直下に設けた横Ｈ字状切込４における立爪５を起こして、該立爪５によってネクタイＴを両側から挟みこむことによって膨出感を演出する。さらに、場合によって、ネクタイＴと共布で製作されたポケットチーフＨ、あるいは、プライスカード、キャッチコピー、メーカー名等のＰＲカード等を傾斜切込７に挿すことによって、さらなる展示効果を演出することが可能となる。【００２２】  ネクタイＴをネクタイディスプレイ用具１に装着した場合、ネクタイＴの重量がベース地２に作用するが、ベース地２が後傾姿勢をとることから、脚部片８を介して、さらに、側壁片１２を介して底片１１および側壁片１２により形成された箱状部分Ｂにより確実に支持され、転倒することが防止され、また、背面に挿通されたネクタイＴの小剣部分ならびに剣先部分を箱状部分Ｂに収容することでネクタイＴの汚損を防止することができる。【００２３】  本考案にかかるネクタイディスプレイ用具は、前述の実施例に限らず種々に変更を加えることが可能なものであって、ネクタイＴを展示するネクタイディスプレイ用具としてネクタイを装着する場合に、ベース地に切込を形成し、その変形、あるいは、弾性変形に依存してネクタイを挿通するものであるが、ネクタイの展示に際して、ネクタイの装着作業を行いやすくするために、前述の実施例における切込に変えて、例えば、図６に示す構成を採用することができる。【００２４】  即ち、ネクタイディスプレイ用具２５のベース地２６は、前述の実施例と同様に基本形状を矩形とし、その一端側を半円状２６’に形成したもので、このベース地２６にネクタイの小剣側を挿通するための円弧状のスリット孔２７を形成し、また、ネクタイを表示するに十分な空間を隔てた下方位置に、ネクタイの剣先部を挿通するためのＶ字状のスリット孔２８を形成するとともに、前記円弧状スリット孔２７の直下に横Ｈ時状の切込３０を形成している。また、必要に応じてＶ字状のスリット孔２８の側方にポケットチーフ等を挿入する傾斜状態に形成したスリット孔２９を設けることもできる。【００２５】  また、前述する各実施例において、ネクタイディスプレイ用具を自立させる脚をベース地２と一体的に成形したこの脚部片８となし、これを折り曲げて脚部としているが、かかる形態が製作上、取扱いの上からも好ましいものであるが、これに限ることなく、例えば、脚部片８を別途に製作し、ベース地２に貼付することも可能で、その構成にあっても、ネクタイディスプレイ用具を自立させるものであれば如何なる構成をも採用し得るものである。
【図面の簡単な説明】
【００２６】
【図１】本考案にかかるネクタイディスプレイ用具の展開図
【図２】本考案にかかる第２の実施例におけるネクタイディスプレイ用具の展開図
【図３】本考案にかかる第３の実施例におけるネクタイディスプレイ用具の展開図
【図４】本考案にかかるネクタイディスプレイ用具の組み立て状態における側面図
【図５】ネクタイを装着した状態における本考案にかかるネクタイディスプレイ用具の実施例を示す斜視図
【図６】本考案にかかる他の実施例におけるネクタイディスプレイ用具の展開図
【符号の説明】
【００２７】１：ネクタイディスプレイ用具
２：ベース地
３：逆Ｖ字状あるいは台形状切込３
４：横Ｈ字状切込
５：立爪
６：Ｖ字状切込
７：傾斜切込
８：脚部片
９：折り目線
１０：傾斜辺
１１：底片
１２：側壁片
１３：傾斜辺
１４：鍵型の切込
１５：鍵型の切込
１６：折り目線
１７：折り目線
１８：後壁片
１９：舌片
２０：切込
２１：折り目線
２２：折り目線
【図１】
0003109441.tif 000003
【図２】
0003109441.tif 000004
【図３】
0003109441.tif 000005
【図４】
0003109441.tif 000006
【図５】
0003109441.tif 000007
【図６】
0003109441.tif 000008